(57)【要約】      （修正有）【課題】照明器具の落下を防止し、追加加工を必要とせず適用できる道路照明灯の落下防止構造及びそれに用いられる落下防止具を提供する。【解決手段】道路照明灯の構造は、支柱４０と、支柱４０の先端に取り付けられた照明器具２０と、支柱４０と照明器具２０とを接続するための接続管３０と、落下防止具１０とから構成される。この落下防止具１０は、Ｖ字に形成されその両脚部が横方向に折れ曲がった開脚部爪を有しその開脚部爪が前記支柱の内径部に挿入されるＶ字留め具１１と、一端が前記Ｖ字留め具の頂部に接続されその他端が前記照明器具の前記ネジ受け部に接続されるワイヤ１３とから構成される。照明器具２０が切断線Ｂ−Ｂで破損しても、Ｖ字留め具１１の開脚部爪１２が接続管３０で止められるため、照明器具２０の落下を防ぐことができる。【選択図】図１
0003122504.tif 000002
【実用新案登録請求の範囲】
【請求項１】
先端部が中空になった支柱と、
前記支柱の先端に取り付けられた照明器具と、
その外径部の一端が前記支柱の内径部に固着されるとともに、他端が押さえ板によって前記照明器具の筐体に固着され、前記支柱と前記照明器具とを接続するために使用される接続管と、
前記照明器具の筐体に固着されたネジ受け部と、
Ｖ字に形成され、その両脚部が横方向に折れ曲がった開脚部爪を有し、その開脚部爪が前記支柱の内径部に挿入されるＶ字留め具と、
一端が前記Ｖ字留め具の頂部に接続され、その他端が前記照明器具の前記ネジ受け部に接続されるワイヤと、
から構成されることを特徴とする道路照明灯の落下防止構造。
【請求項２】
前記ワイヤは、一端にＶ字留め具の頂部に接続されるリングを備え、他端に前記照明器具の筐体に設けられたネジ受け部に接続されるリングを備えたことを特徴とする請求項１に記載の道路照明灯の落下防止構造。
【請求項３】
両脚部が横方向に折れ曲がった開脚部爪が支柱の内径部に挿入されるＶ字留め具と、
一端が前記Ｖ字留め具の頂部に接続されるリングを有し他端が照明器具の筐体に設けられたネジ受け部に接続されるリングとを有するワイヤと
を備えたことを特徴とする落下防止具。
【請求項４】
前記開脚部爪は円弧状の円柱棒で形成されていることを特徴とする請求項３に記載の落下防止具。
【請求項５】
前記開脚部爪は円弧状の角柱棒で形成されていることを特徴とする請求項３に記載の落下防止具。
【請求項６】
前記Ｖ字留め具は、弾性体で構成されていることを特徴とする請求項３乃至６のいずれかに記載の落下防止具。
【請求項７】
前記ワイヤ及び前記Ｖ字留め具は、被覆材で覆われていることを特徴とする請求項３乃至６のいずれかに記載の落下防止具。
【考案の詳細な説明】
【技術分野】
【０００１】
本考案は、道路照明灯の落下防止構造及びそれに用いられる落下防止具に関する。特に、道路の振動等で照明器具が落下しようとするときにＶ字留め具とワイヤからなる落下防止具を用いて照明器具の落下を防止する道路照明灯の落下防止構造及びそれに用いられる落下防止具に関する。
【背景技術】
【０００２】
現在、一般道路や高速道路には、図５に示すように、夜間に道路を照らすための道路照明灯が設置されている。これらの道路照明灯は、一般的に支柱４０の先端部に照明器具２０が取り付けられている。
【０００３】
従来、図５に示すような道路照明器具は、自動車が通る際に発生する地面のゆれによって起きる支柱４０の振動や、地震等による支柱４０の振動等によって、支柱４０と照明器具２０とを接続している接続部のネジ等が緩んだり、照明器具２０の筐体に亀裂が入ったりすることによって、照明器具２０が支柱４０から落下する事故が多発して大問題となっている。
【０００４】
図６は、照明器具２０が支柱４０から落下する様子を示す図である。図６に示すように、支柱４０と照明器具２０の接続が外れ照明器具２０が落下したり、照明器具２０の筐体が途中から折れて照明器具２０の先端部が落下する場合、その下を通行している通行人や車両に危害を加えるおそれがあった。
【０００５】
従来は、図７、図８で示すような、道路照明灯の落下防止構造及びそれに用いられる落下防止具が提案されている。図８は、従来の考案における支柱と照明器具の構造を示す概略断面図である。なお、図８においては、支柱４０と接続管３０の部分については、構造を単純化するために、Ｃ−Ｃ線で切断したときの端面図で表してある。
【０００６】
図７、図８に示される従来の道路照明灯の落下防止構造は、支柱４０と、支柱４０に溶接された接続管３０と、接続管３０内に溶接された棒２６と、照明器具２０と、照明器具２０の内部に固定されたネジ受け部２３と、照明器具２０を接続管３０に固定するために使用する押さえ板２２と、押さえ板２２を固定するボルト２１と、照明器具２０の内部に固着されたネジ受け部２５と、ボルト２４から構成されている（特許文献１）。
【０００７】
従来の道路照明灯の落下防止構造は、さらに、先端にリング１５備え、末端にリング１４を備えたワイヤ１３から構成されている。ワイヤ１３は、その末端が、棒２６に掛けられ、リング１４中にリング１５を通すことで、ワイヤ１３を棒２６に巻き付けている。また、ワイヤ１３は、その先端を、リング１５をネジ受け部２５にボルト２４で固定することによって、照明器具２０と接続される。このように、従来の道路照明灯の落下防止構造では、棒２６とワイヤ１３によって、照明器具２０と接続管３０が常に繋がっている状態になる。
【０００８】
したがって、ボルト２１が緩み、照明器具２０が支柱４０から外れたとしても、また、切断線Ｂ−Ｂから照明器具２０の筐体が折れたとしても、棒２６とワイヤ１３によって、照明器具２０の落下を防止することができる。
【特許文献１】実開昭６２−１６９４１１号
【考案の開示】
【考案が解決しようとする課題】
【０００９】
しかしながら、特許文献１に示されるような道路照明灯の落下防止構造において、棒２６は、ワイヤ１３によって引っ張られ、棒２６が折れてしまう場合がある。その結果、照明器具２０は落下してしまう。
【００１０】
また、特許文献１に示すような従来の道路照明灯の落下防止構造においては、棒２６を予め接続管３０の内部に組み込んでおく必要がある。しかし、設置されてから２０年以上になる既設の道路照明灯においては、道路照明灯の落下防止構造が設けられていないこともある。
このような既設の道路照明灯に適用するためには、従来の道路照明灯の落下防止構造においては、既設の道路照明灯の支柱４０と照明器具２０を接続する接続管３０の内部に改めて棒２６を溶接等で組み込むための追加加工が必要となり、大工事になる。
【００１１】
そこで、本考案は、上述の課題を鑑み、照明器具２０の落下を防止でき、さらに、照明器具２０の重さに耐えることができる安全な道路照明灯の落下防止構造及びそれに用いられる落下防止具を提供することを目的とする。
【００１２】
また、既設の道路照明器具に対しても追加加工を必要とせずに、容易に適用できる道路照明灯の落下防止構造を提供することを目的とする。
【課題を解決するための手段】
【００１３】
上述の課題を解決するために、本考案の第１の考案に係る道路照明灯の落下防止構造は、先端部が中空になった支柱と、支柱の先端に取り付けられた照明器具と、その外径部の一端が支柱の内径部に固着されるとともに、他端が押さえ板によって照明器具の筐体に固着され、支柱と照明器具とを接続するために使用される接続管と、照明器具の側板に固着されたネジ受け部と、Ｖ字に形成されその両脚部が横方向に折れ曲がった開脚部爪を有し、その開脚部爪が支柱の内径部に挿入されるＶ字留め具と、一端がＶ字留め具の頂部に接続され、その他端が照明器具のネジ受け部に接続されるワイヤとから構成されることを特徴とする。
【００１４】
好ましくは、前記ワイヤは、一端にＶ字留め具の頂部に接続するためのリングを備え、他端に前記照明器具の筐体に設けられたネジ受け部にボルトで固定されるリングを備えたことを特徴とする。
【００１５】
また、本考案の第２の考案に係る落下防止具は、両脚部が横方向に折れ曲がった開脚部爪が支柱の内径部に挿入されるＶ字留め具と、一端がＶ字留め具の頂部に接続されるリングを有し他端が照明器具の筐体に設けられたネジ受け部に接続されるリングとを有するワイヤとを備えたことを特徴とする。
【００１６】
好ましくは、Ｖ字留め具の開脚部爪は円弧状の円柱棒または円弧状の角柱棒で形成されることを特徴とする。
【００１７】
また、好ましくは、Ｖ字留め具は、弾性体で構成されていることを特徴とする。
【００１８】
また、好ましくは、前記ワイヤ及び前記Ｖ字留め具は、被覆材で覆われていることを特徴とする。
【考案の効果】
【００１９】
第１の考案に係る道路照明灯の落下防止構造によれば、Ｖ字に形成されその両脚部が横方向に折れ曲がった開脚部爪を有し、両開脚部爪の外幅が接続管の内部直径より大きく構成されているため、Ｖ字留め具が接続管をすり抜けることがない。また、Ｖ字留め具は弾性体で構成されているので、弾性によって支柱の内径部に固着されるので、Ｖ字留め具が接続管をすり抜けることがない。したがって、支柱と照明器具の接続が外れ、または照明器具の先端部が折れたとしても、Ｖ字留め具が接続管の入り口で止められ、照明器具の落下を防止することができる。
【００２０】
また、第１の考案においては、従来技術で使用されていた棒がＶ字留め具になったことで強度が増し、照明器具の重さに耐えることができる。
【００２１】
第２の考案にかかる落下防止具によれば、落下防止具は、両脚部が横方向に折れ曲がった開脚部爪が支柱の内径部に挿入されるＶ字留め具と、一端がＶ字留め具の頂部に接続されるリングを有し他端が照明器具の筐体に設けられたネジ受け部に接続されるリングとを有するワイヤとから構成されるので、一端のリングがＶ字留め具の頂部に接続されたリングを接続管に挿入し、他端のリングを照明器具に固定されたネジ受け部に接続するのみで組み込むことができる。したがって、既設の道路照明器具において、照明器具の内部にネジ受け部が固着されていれば、追加加工を必要とせず、本考案を既設の道路照明器具に容易に適用することができる。
【００２２】
また、第２の考案に係る道路照明灯の落下防止具によれば、開脚部爪が円弧状の円柱棒や円弧状の角柱棒で形成されているので、開脚部爪が支柱の内径部に強力に固着されるのでＶ字留め具がすり抜けることが無い。
【００２３】
さらに、第２の考案に係る道路照明灯の落下防止具によれば、ワイヤ及びＶ字留め具が、ビニール等の被覆材で覆われており、支柱や接続管の内壁にワイヤが接触することによる騒音を防止することができる。
【考案を実施するための最良の形態】
【００２４】
実施形態．
以下、本考案の実施形態について図面を参照しながら説明する。図１は、本考案における支柱と照明器具の構造を示す斜視図であり、図２は本考案における支柱と照明器具の構造を示す概略断面図である。なお、図２においては、支柱４０と接続管３０の部分については、構造を単純化するために、Ｄ−Ｄ線で切断したときの端面図で表してある。図３（Ａ）は、本考案の落下防止具の全体を示す斜視図であり、図３（Ｂ）は、本考案の落下防止具のワイヤのＡ−Ａ線で切断したときの端面図である。図３（Ｃ）は、本考案において、先端が円柱棒に形成されたＶ字留め具の開脚部爪を示す図である。図３（Ｄ）は、本考案において、先端に円弧状の円柱棒を有するＶ字留め具の開脚部爪を示す図である。図３（Ｅ）は、本考案において、先端に円弧状の角柱棒を有するＶ字留め具の開脚部爪を示す図である。
【００２５】
図１に示すように、本考案における道路照明灯の構造は、先端部が中空になった支柱４０と、支柱４０の先端に取り付けられた照明器具２０と、その外径部の一端が支柱４０の内径部に固着されるとともに、他端が押さえ板によって照明器具２０の筐体２７に固着され、支柱４０と照明器具２０とを接続するために使用される接続管３０と、照明器具３０の筐体２７に固着されたネジ受け部２３と、落下防止具１０とから構成される。この落下防止具１０は、Ｖ字に形成されその両脚部が横方向に折れ曲がった開脚部爪を有しその開脚部爪が前記支柱の内径部に挿入されるＶ字留め具１１と、一端が前記Ｖ字留め具の頂部に接続されその他端が前記照明器具の前記ネジ受け部に接続されるワイヤ１３とから構成される。
【００２６】
図１に示すように、照明部２０は、支柱４０に溶接された接続管３０の上に押さえ板２２をのせて、ボルト２１でネジ受け部２３に締め付けることによって支柱４０に固定される。落下防止具１０は、Ｖ字留め具１１の開脚部爪が支柱４０の内径部に挿入され、Ｖ字留め具１１に接続されたワイヤ１３は、接続管３０の内部を通り、ワイヤ１３先端でリング１５を図示しないワッシャーを介してボルト２４でネジ受け部２５に締め付けることによって、照明部２０の筐体２７に固定される。
【００２７】
落下防止具１０のＶ字留め具１１は弾性によって両開脚部爪１２の幅は支柱４０の内径になるように弾性変形され、支柱４０の内径にしっかりと接触する。これによって、Ｖ字留め具１１は、照明器具２０が接続管３０から外れても、接続管３０をすり抜けることがないので、照明器具２０が落下することはない。
【００２８】
リング１５を固定する場所は、照明器具２０の筐体に固着されたネジ受け部であれば、ネジ受け部２５以外の場所に設けられたネジ受け部であっても良い。また、ワイヤ１３と照明器具２０の筐体２７との接続方法は、リング１５をネジ受け部２５にボルト２４で締め付ける外にも、ワイヤ１３を照明器具２０の筐体のどこかに設けられた孔に縛り付けたり、筐体に溶接したりして接続しても良い。
【００２９】
以上のように、本考案に係る道路照明器具用の落下防止構造によれば、例えば、切断線Ｂ−Ｂで照明器具２０が折れた場合でも、Ｖ字留め具１１の両開脚部爪１２の幅が、接続管３０の内径より大きいため、Ｖ字留め具１１が接続管３０をすり抜けられず、照明器具２０の落下を防ぐことができる。
【００３０】
また、落下防止具１０は、ワイヤ１３に接続されたＶ字留め具１１を道路照明器具用の方から接続管３０に通すとともに、先端のリング１５を照明器具２０の筐体２７に固着されたネジ受け部２５にボルト２４で締め付けるだけで組み込むことができるので、従来のどのような構造の照明器具でも、支柱と照明器具が接続管で接続されているものであれば容易に組み込むことができる。
【００３１】
また、落下防止具１０に接続されたワイヤ１３の先端は、リング１５をネジ受け部２５にボルト２４で固定する以外に、筐体に開けられた孔にワイヤの先端部を巻き付けてもよい。
【００３２】
Ｖ字留め具１１は、通常弾性体の円柱棒で形成されるが、楕円、四角形、六角形、八角形等の棒で形成しても良い。また、Ｖ字留め具１１の円柱棒の直径は、数ｍｍ程度が好ましいが、それ以外であっても必要な強度が得られる厚さであれば良い。
【００３３】
図３（Ｂ）に示すように、ワイヤ１３及びＶ字留め具１１は被覆材１７でコーティングしてもよい。これによって、支柱４０の内壁にＶ字留め具１１が接触し、または接続管３０の内壁にワイヤ１３が接触することによって発生する騒音を防ぐことができる。被覆材１７は、ビニール、プラスチック、ゴム等でも良く、支柱４０や、接続管３０の内部壁との衝突による音を低減できる素材であれば良い。
【００３４】
Ｖ字留め具１１の開脚部爪１２は、図３（Ｃ）のように、先端が円柱棒に形成される。このような開脚部爪１２の形状はＶ字留め具１１の円柱棒を単に曲げることによって形成できるので（１１ａ）経済的に安価に形成できるメリットがある。一方、Ｖ字留め具１１の開脚部爪１２は、図３（Ｄ）や図３（Ｅ）に示すように、円弧状の円柱棒１２ｂや角柱棒１２ｃを有する開脚部爪をＶ字留め具の開脚部に溶接等で融着することによって形成できる。このような開脚部爪１２ｂや１２ｃを用いることにより、開脚部爪が支柱４０の内径部と密着するために、Ｖ字留め具がさらに接続管３０からすり抜けにくくなる。
【００３５】
図４は、接続管を介してＶ字留め具１１を支柱４０の内径部に挿入する順序を示す図である。
【００３６】
図４（Ａ）は本考案の落下防止具１０のＶ字留め具１１を接続管３０の近くに持ってきた様子を示す図である。図４（Ｂ）は本考案の落下防止具１０のＶ字留め具１１を接続管３０の中に半分程度まで挿入した様子を示す図である。図４（Ｃ）は本考案の落下防止具１０のＶ字留め具１１を接続管３０を通り過ぎて、支柱４０の内径部に挿入した様子を示す図である
図４（Ａ）において、落下防止具１０のＶ字留め具１１の開脚部爪１２は最初開いているが、図４（Ｂ）のようにＶ字留め具１１を接続管３０の中に半分程度まで挿入する段階では落下防止具１０のＶ字留め具１１の開脚部爪１２は接続管３０の内部壁まで弾性変形する。図４（Ｃ）に示すように、落下防止具１０のＶ字留め具１１が接続管３０を通り過ぎて、支柱４０の内径部に挿入された状態では、落下防止具１０のＶ字留め具１１の開脚部爪１２は弾性によって開き、支柱４０の内径部に押しつけられる。したがって、図２に示すように切断線Ｂ−Ｂで照明器具２０が折れた場合でも、Ｖ字留め具１１の両開脚部爪１２が接続管３０に引っかかり、Ｖ字留め具１１に接続されるワイヤ１３によって、照明器具２０の落下を防ぐことができる。
【００３７】
本考案は、上述した実施形態に限定されるものではなく、本考案の要旨を逸脱しない範囲内で様々な変形や応用が可能である。
【産業上の利用可能性】
【００３８】
本考案は、道路照明灯の落下防止構造及びそれに用いられる落下防止具として利用できる。
【図面の簡単な説明】
【００３９】
【図１】本考案における支柱と照明器具の接続構造を示す斜視図である。
【図２】本考案における支柱と照明器具の接続構造を示す側面図である。
【図３】（Ａ）は本考案の落下防止具の全体を示す斜視図である。（Ｂ）は本考案の落下防止具のワイヤをＡ−Ａ線で切断したときの断面図である。（Ｃ）は本考案のＶ字留め具の開脚部爪の先端の一例を示す図である。（Ｄ）は本考案のＶ字留め具の開脚部爪の先端の他の一例を示す図である。（Ｅ）は本考案のＶ字留め具の開脚部爪の先端のさらに他の一例を示す図である。
【図４】接続管を介してＶ字留め具を支柱の内径部に挿入する順序を示す図である。
【図５】一般的な道路照明灯を示す図である。
【図６】道路照明灯の照明器具が支柱から落下する状況を示す図である。
【図７】従来の技術の支柱と照明器具の接続構造を示す斜視図である。
【図８】従来の技術の支柱と照明器具の接続構造を示す側面図である。
【符号の説明】
【００４０】
１０  落下防止具
１１  Ｖ字留め具
１２、１２ａ、１２ｂ、１２ｃ、１２ｄ  開脚部爪
１３  ワイヤ
１４  リング
１５  リング
１７  被覆材
１８  頂部
２０  照明器具
２１  ボルト
２２  押さえ板
２３  ネジ受け部
２４  ボルト
２５  ネジ受け部
２６  棒
２７  照明器具の筐体
３０  接続管
４０  支柱
Ａ−Ａ  ワイヤの切断線
Ｂ−Ｂ  照明器具の切断線
Ｃ−Ｃ  照明器具の切断線
Ｄ−Ｄ  照明器具の切断線
【図１】
0003122504.tif 000003
【図２】
0003122504.tif 000004
【図３】
0003122504.tif 000005
【図４】
0003122504.tif 000006
【図５】
0003122504.tif 000007
【図６】
0003122504.tif 000008
【図７】
0003122504.tif 000009
【図８】
0003122504.tif 000010